(57)【要約】【課題】  装飾性に優れ、組み立て作業が容易であり、さらに遊技領域を流下する遊技球の衝撃を積極的に吸収することができ、リサイクルの分別作業が容易で安価な遊技機を提供する。【解決手段】  遊技盤５から前方に突き出し遊技領域を区画する合成樹脂製の遊技領域区画部材５５を備えた遊技機であって、遊技領域下部は、遊技領域１１を流下した遊技球の衝突時の衝撃を吸収するための合成樹脂製のカバー部材１４１により区画され、カバー部材１４１の前方部を遊技領域区画部材５５に止着して、カバー部材１４１の下方に衝撃吸収空間部を形成した。【選択図】  図６
2005237696.tif 000002
【特許請求の範囲】
【請求項１】
遊技盤から前方に突出し遊技領域を遊技領域区画壁部により区画する合成樹脂製の遊技領域区画部材を備えた遊技機において、
前記遊技領域区画部材には、遊技領域を流下した遊技球の衝突時の衝撃を吸収する合成樹脂製のカバー部材を、遊技領域の下部に臨む遊技領域区画壁部を上方から覆う状態で設け、
前記カバー部材は、その前方部を前記遊技領域区画部材の遊技領域区画壁部の前方部に止着して後方部分をフローティング状態とし、
該カバー部材を前記遊技領域区画部材に取り付けた状態で、該遊技領域区画部材の遊技領域区画壁部と前記カバー部材の下面との間に衝撃吸収空間部が形成されるようにしたことを特徴とする遊技機。
【請求項２】
前記カバー部材は、前記遊技領域区画部材よりも柔軟性を有する合成樹脂で形成されていることを特徴とする請求項１に記載の遊技機。
【請求項３】
前記遊技領域区画部材の遊技領域区画壁部の前方部には、前記カバー部材を取り付けるための止着部材を止着する止着孔が形成され、
前記カバー部材には、該カバー部材の前方部から遊技領域とは反対方向に止着部を突設して、該止着部には前記止着部材を挿通する挿通孔が形成され、
前記カバー部材を取り付ける場合に、前記止着部材を締め付けると前記カバー部材の後方部が浮上する浮上手段を備え、前記遊技領域区画部材の遊技領域区画壁部と前記カバー部材との間に前記衝撃吸収空間部が形成されるようにしたことを特徴とする請求項１または請求項２に記載の遊技機。
【請求項４】
前記遊技領域区画部材は、
前記遊技盤に取り付ける取付けベース部と、
該取付けベース部から遊技盤前方へ向かって起立した遊技領域区画壁部と、
を有し、
且つ、
発射装置から発射された遊技球を遊技領域へと案内するための発射球案内部材を有する第１遊技領域区画部材と、
該第１遊技領域区画部材と遊技領域区画壁が連続し、該第１遊技領域区画部材の一端に隣接した状態で配設される第２遊技領域区画部材と、
該第２遊技領域区画部材と遊技領域区画壁が連続し、前記第２遊技領域区画部材の下方に配設される第３遊技領域区画部材と、
該第３遊技領域区画部材および前記第１遊技領域区画部材と遊技領域区画壁が連続し、アウト口を開口した第４遊技領域区画部材と、
に分割構成され、
前記第１遊技領域区画部材の遊技領域区画壁部のアウト口寄りと前記第３遊技領域区画部材の遊技領域区画壁部のアウト口寄りとにそれぞれ前記カバー部材を設け、
前記カバー部材と前記第４遊技領域区画部材とを、前記第１遊技領域区画部材、前記第２遊技領域区画部材および前記第３遊技領域区画部材よりも柔軟性を有する合成樹脂で形成したことを特徴とする請求項１から請求項３のいずれかに記載の遊技機。
【発明の詳細な説明】
【技術分野】
【０００１】
本発明は、遊技盤の前面側に形成された遊技領域に対して発射装置から発射された遊技球が遊技領域に送り込まれるように構成されたパチンコ遊技機などの遊技機に関する。
【背景技術】
【０００２】
従来の遊技機、例えばパチンコ遊技機においては、外側ガイドレールとしての金属帯板製の外バンドを遊技盤の下端側から上端側に亘って円弧状に止着し、この外バンドの内側に沿って内側ガイドレールとしての金属帯板製の内バンドを横Ｃ字状に止着し、これら外バンドと内バンドの間の円弧状部分を発射装置から発射された遊技球を上方へと案内する案内誘導路とし、内バンドと外バンドの上部に囲まれた円形部分を遊技領域として、この遊技領域内に障害釘を植設するとともに可変表示装置や変動入賞装置等を適宜配設している。
【０００３】
そして、近年におけるリサイクル化の促進に伴って、パチンコ遊技機では、金属製のバンドの組み立て、分別作業を行い易い構造を採用し、内バンドのみ、または内バンドと外バンドとの双方を合成樹脂製とし、他の遊技盤区画部材とともに一体成形し、その耐久性を補うために樹脂製バンドの案内誘導路側に金属製の補強部材を止着していた。
【０００４】
これに関連する技術として、例えば、特開平７−２１３６９４号公報（特許文献１）に「遊技機の遊技盤」に係る発明が提案されている。この発明は、遊技盤区画部材を樹脂により形成し、該遊技盤区画部材の区画壁に補強部材を固定可能な補強部材固定手段を設け、該補強部材固定手段により金属製の補強部材を遊技盤区画部材に固定することを要旨としており、外バンドと内バンドの取り付け作業性がよく、発射球の方向性を安定化し、樹脂製バンドの破壊を防止しうるものである。
【０００５】
また、この特許文献１には、「アウト球回収口のあるバンド構造体にあっては、上方からの球の落下が多く、その衝突が激しい箇所であるから、金属製の補強部材で覆うことによって有効に補強することが可能となる。」旨が記載されている。
【特許文献１】特開平７−２１３６９４号公報
【発明の開示】
【発明が解決しようとする課題】
【０００６】
上述したように、特許文献１では、合成樹脂により遊技盤区画部材（内バンド構造体）を形成し、遊技領域の下部に臨んで遊技球が衝突する箇所に金属製の補強部材を固定しているが、アウト口の近傍に金属製の補強部材を取り付けると冷たい感じを与えてしまい、却って装飾性に劣ることとなる。
【０００７】
また、金属製の補強部材は高価であり、短い金属製の補強部材を取り付ける場合には、少しの取り付け誤差で形状が大きく変わってしまい、組み立て作業が煩雑で製造工数が増大する。
【０００８】
この金属製の補強部材は合成樹脂に比べて硬い材質であるため、落下遊技球の衝撃を吸収することができず、遊技球が跳ね過ぎ、金属衝突音が不快感を与える要因にもなる。
【０００９】
さらに、リサイクル時には樹脂成形体から金属製の部材を取り外して分別しなければならないため、分別作業が煩雑となり作業工数も増大する。
【００１０】
本発明は、上記の事情に鑑みてなされたものであり、装飾性に優れ、組み立て作業が容易であり、さらに遊技領域を流下する遊技球の衝撃を積極的に吸収することができ、リサイクルの分別作業が容易な遊技機を提供することを目的とする。
【課題を解決するための手段】
【００１１】
本発明は、上記目的を達成するために提案されたものであり、請求項１に記載のものは、遊技盤から前方に突出し遊技領域を遊技領域区画壁部により区画する合成樹脂製の遊技領域区画部材を備えた遊技機において、
前記遊技領域区画部材には、遊技領域を流下した遊技球の衝突時の衝撃を吸収する合成樹脂製のカバー部材を、遊技領域の下部に臨む遊技領域区画壁部を上方から覆う状態で設け、
前記カバー部材は、その前方部を前記遊技領域区画部材の遊技領域区画壁部の前方部に止着して後方部分をフローティング状態とし、
該カバー部材を前記遊技領域区画部材に取り付けた状態で、該遊技領域区画部材の遊技領域区画壁部と前記カバー部材の下面との間に衝撃吸収空間部が形成されるようにしたことを特徴とする遊技機である。
【００１２】
請求項２に記載のものは、前記カバー部材が、前記遊技領域区画部材よりも柔軟性を有する合成樹脂で形成されていることを特徴とする請求項１に記載の遊技機である。
【００１３】
請求項３に記載のものは、前記遊技領域区画部材の遊技領域区画壁部の前方部には、前記カバー部材を取り付けるための止着部材を止着する止着孔が形成され、
前記カバー部材には、該カバー部材の前方部から遊技領域とは反対方向に止着部を突設して、該止着部には前記止着部材を挿通する挿通孔が形成され、
前記カバー部材を取り付ける場合に、前記止着部材を締め付けると前記カバー部材の後方部が浮上する浮上手段を備え、前記遊技領域区画部材の遊技領域区画壁部と前記カバー部材との間に前記衝撃吸収空間部が形成されるようにしたことを特徴とする請求項１または請求項２に記載の遊技機である。
【００１４】
請求項４に記載のものは、前記遊技領域区画部材が、
前記遊技盤に取り付ける取付けベース部と、
該取付けベース部から遊技盤前方へ向かって起立した遊技領域区画壁部と、
を有し、
且つ、
発射装置から発射された遊技球を遊技領域へと案内するための発射球案内部材を有する第１遊技領域区画部材と、
該第１遊技領域区画部材と遊技領域区画壁が連続し、該第１遊技領域区画部材の一端に隣接した状態で配設される第２遊技領域区画部材と、
該第２遊技領域区画部材と遊技領域区画壁が連続し、前記第２遊技領域区画部材の下方に配設される第３遊技領域区画部材と、
該第３遊技領域区画部材および前記第１遊技領域区画部材と遊技領域区画壁が連続し、アウト口を開口した第４遊技領域区画部材と、
に分割構成され、
前記第１遊技領域区画部材の遊技領域区画壁部のアウト口寄りと前記第３遊技領域区画部材の遊技領域区画壁部のアウト口寄りとにそれぞれ前記カバー部材を設け、
前記カバー部材と前記第４遊技領域区画部材とを、前記第１遊技領域区画部材、前記第２遊技領域区画部材および前記第３遊技領域区画部材よりも柔軟性を有する合成樹脂で形成したことを特徴とする請求項１から請求項３のいずれかに記載の遊技機である。
【発明の効果】
【００１５】
本発明に係る遊技機によれば、次のような優れた効果を奏する。
すなわち、請求項１に記載の発明によれば、遊技領域区画部材の遊技領域下部に臨む遊技領域区画壁部がカバー部材によって覆われており、遊技領域区画部材の遊技領域区画壁部とカバー部材の下面との間に衝撃吸収空間部が形成されているので、カバー部材の後方部がフローティング状態となり、遊技領域を流下した遊技球がカバー部材に衝突した場合に、上記衝撃吸収空間部へ向けてカバー部材が僅かに撓むことにより遊技球の衝撃を吸収することができる。また、遊技領域区画部材とこれを覆うカバー部材とが共に合成樹脂により形成されているので、装飾性に優れ、リサイクルの分別作業も容易で安価な遊技機を提供することができる。
【００１６】
請求項２に記載の発明によれば、カバー部材は、遊技領域区画部材よりも柔軟性を有する合成樹脂で形成されているので、上記衝撃吸収空間部へと容易に撓み得る。
【００１７】
請求項３に記載の発明によれば、カバー部材の前方部に位置する止着部に形成された挿通孔に挿通させて、遊技領域区画部材の前方部に形成された止着孔に止着部材を締め付けるとカバー部材の後方部が浮上する浮上手段を備え、遊技領域区画部材の遊技領域区画壁部とカバー部材との間に上記衝撃吸収空間部が形成されるので、止着部材の締め付け度合いを調整することにより衝撃吸収空間部の空間幅を調整することができる。このようにカバー部材は止着部材により取り付けられるので、組み立て作業が容易である。
【００１８】
請求項４に記載の発明によれば、上記遊技領域区画部材は、遊技盤への取付けベース部と、これから遊技盤前方へ向かって起立した遊技領域区画壁部と、を有し、該遊技領域区画壁部の連通する第１遊技領域区画部材、第２遊技領域区画部材、第３遊技領域区画部材および第４遊技領域区画部材で分割構成され、該第４遊技領域区画部材にはアウト口が開口されている。
そして、遊技領域を流下した遊技球が衝突するカバー部材および第４遊技領域区画部材は、上記第１遊技領域区画部材、第２遊技領域区画部材および第３遊技領域区画部材よりも柔軟性を有する合成樹脂で形成されているので、カバー部材および第４遊技領域区画部材に損傷が生じることはなく、遊技球の反撥を抑制することができる。
【発明を実施するための最良の形態】
【００１９】
以下、代表的な遊技機であるパチンコ遊技機を例に挙げて、本発明を実施するための最良の形態を図面に基づき説明する。なお、図１はパチンコ遊技機１の正面図、図２はパチンコ遊技機１の内部を示す正面図、図３はガラス枠を開いた状態のパチンコ遊技機１の斜視図、図４はパチンコ遊技機１の遊技盤５の正面図である。
【００２０】
パチンコ遊技機１は、図１、図２および図４に示すように、機枠（外枠）２に前面枠（内枠）３の一側（図中左側）を開閉可能に取り付け、この前面枠３のベースとなる前面枠本体４の遊技盤収納フレーム内に遊技盤５を収納可能とし、遊技盤５のベースとなる遊技盤本体６の表面には、表示装置７、大入賞口８、一般入賞口９、アウト口１０等を配設した遊技領域１１と、この遊技領域１１内へ遊技球を案内するための案内誘導路１２を形成している。また、前面枠３の前面には、一側（図中左側）が軸着された透明部材保持枠（ガラス枠）１３を、ヒンジ部１４を介して開閉可能に設け、該透明部材保持枠１３に透視可能な透明部材（ガラス板）１６を収納して遊技領域１１および案内誘導路１２を前方から覆い、透明部材保持枠１３の下方に上皿ユニット１８と下皿ユニット１９とを上下に並べて備えている。そして、パチンコ遊技機１は、前面枠３に対して上皿ユニット１８をヒンジ部２０で開閉可能に軸着し、上皿ユニット１８の表側に、遊技球（貸し球あるいは賞球）が貯留される上皿２１を配設し、下皿ユニット１９の表側中央に下皿２２を、左側に灰皿２３を、右側に発射操作ユニット（発射操作ハンドル）２５をそれぞれ配設している。
【００２１】
次に、前面枠本体４について説明する。
前面枠本体４は、図２および図３に示すように、矩形状の開口部２６を上寄りに開設した額縁状の部材であり、この開口部２６の周縁に遊技盤収納フレーム２７を後方に突出した状態で備え、遊技盤収納フレーム２７の下方にフレームボード部２８を備えている。なお、本実施形態の遊技盤本体６は、遊技盤収納フレーム２７およびフレームボード部２８を含んだ状態で合成樹脂により一体成型されているが、遊技盤収納フレーム２７およびフレームボード部２８を別部材にして取り付けてもよい。
【００２２】
遊技盤収納フレーム２７は、前面枠３の軸着側（一側、図中左側）に左側壁部（軸着側壁部）３１を、軸着側とは反対の開放側（他側、図中右側）に右側壁部（開放側壁部）３２を、左側壁部３１の上端部と右側壁部３２の上端部とを接続する状態で上側壁部３３をそれぞれ備え、各側壁部の後縁から内側に向かって背面部３４を形成している。このような構成からなる遊技盤収納フレーム２７は、前方を開口した凹状に形成され、前面枠本体４の前面から一段窪ませた状態で設けられている。
【００２３】
そして、遊技盤収納フレーム２７は、左側壁部３１に遊技盤５を掛止する遊技盤掛止手段３６を設けている。この遊技盤掛止手段３６は、遊技盤５を前方から掛止可能な掛止部材３７と、遊技盤５の横方向（左右方向）の移動を規制して位置を決めるための位置決め部材３８とから構成されている。
【００２４】
また、遊技盤収納フレーム２７は、右側壁部３２および上側壁部３３にクランプ４０を備えている（図２参照）。このクランプ４０は、遊技盤５を背面部３４へ押え付けながら固定するための部材であり、回動操作により、遊技盤５前面に移動し、背面部３４との間で遊技盤５を挟み込む固定状態と、遊技盤５前面から退避して遊技盤５を解放する状態とに変換できるように構成されている。
【００２５】
フレームボード部２８は、上端に遊技盤載置部４２を設けており、この遊技盤載置部４２に遊技盤５の下端を載置することで、遊技盤５の上下方向の位置を規制できるように構成されている。また、フレームボード部２８は、発射操作ユニット２５の後方に当たる箇所に、遊技球を遊技領域１１に向かって発射するための発射装置４４を備えている。
【００２６】
この発射装置４４は、上皿２１に貯留された遊技球を１個ずつ発射可能な装置であり、フレームボード部２８の前面に止着されるプレート状の取付基板４６に発射杵４７を回動軸４８により軸着し、発射杵４７の下端部分を回動軸４８から下方に延在して遊技球を弾発するための杵先４９を備えている。また、発射装置４４は、杵先４９の回動軸４８周りに前進した位置の先方であって、回動軸４８より下方に発射レール５１の遊技球発射位置５０を設定し、遊技球発射位置５０から遊技盤５上の案内誘導路１２に向かって上り傾斜する状態で発射レール５１を配設している。この発射レール５１は、発射装置４４から発射された遊技球を案内誘導路１２へ誘導するための部材であり、案内誘導路１２と発射杵４７との間に、上端が発射杵４７の上部、あるいは回動軸４８と略同じ高さに位置する状態で配設されている。このようにして発射装置４４は、発射杵４７と発射レール５１とを横方向に並べて配設することができ、高さを低く抑えて構成することができる。したがって、前面枠３内におけるフレームボード部２８の位置を低くし、遊技盤収納フレーム２７、すなわち遊技盤５の上下幅を広げて、遊技領域１１を拡張することができる。
【００２７】
また、このフレームボード部２８は、発射レール５１の上端と案内誘導路１２との間にファール流下口（ファール球回収口）５３を開口して、遊技領域１１まで到達せずに案内誘導路１２を逆流してきた遊技球を回収できるように構成されている。
【００２８】
次に遊技盤５上に遊技領域１１を区画する部材について説明する。
図５は遊技盤５の斜視図、図６は遊技盤５の分解斜視図である。これらの図面に示すように、遊技盤５は、合板やプラスチックなどからなる遊技盤本体６の表面に、装飾用のセルシートを貼付し、該セルシートの上から遊技領域１１を略円形に区画するための遊技領域区画部材５５を、遊技盤本体６の各辺に沿う状態で止着している。
この遊技領域区画部材５５は、発射装置４４から発射された遊技球を遊技領域１１へと案内し、遊技領域１１の案内誘導路１２側（図中左側）を区画する略Ｃ字状の第１遊技領域区画部材としての発射球案内ユニット５６と、該発射球案内ユニット５６の一端（図中右上端）に隣接した状態で止着し、遊技領域１１の右上側を区画する第２遊技領域区画部材５７と、該第２遊技領域区画部材５７の下方に位置して遊技領域１１の右下側を区画する第３遊技領域区画部材５８と、該第３遊技領域区画部材５８および上記発射球案内ユニット５６との間に位置し、アウト口を開口した第４遊技領域区画部材５９と、に４分割して構成されており、これらはそれぞれ遊技盤５に取り付ける取付けベース部６１と、該取付けベース部６１から遊技盤前方へ向かって起立した遊技領域区画壁部６２と、を有し、これらの遊技領域区画壁部６２は略円形状に連続している。
【００２９】
まず、第１遊技領域区画部材としての発射球案内ユニット５６について説明する。
図７は発射球案内ユニット５６の表面の分解斜視図、図８は発射球案内ユニット５６の裏面の斜視図である。
発射球案内ユニット５６は、上記図６，図７および図８に示すように、遊技領域１１の遊技球進入側（図中左側）を区画する部材であり、遊技盤５の前面側に案内誘導路１２を形成する合成樹脂製の発射球案内部材６４と、該発射球案内部材６４に取り付けられる金属製ガイドレール６６と、該ガイドレール６６を発射球案内部材６４に遊技盤５の前方から止着するガイドレール止着具６７とにより概略構成されている。
【００３０】
発射球案内部材６４は、遊技盤５の前面側に取り付けるために略隅付き括弧状の取付ベース部６１を備え、該取付ベース部６１から遊技盤５の前方へ向かって起立する発射球案内壁部６９を遊技盤５の前面の下端側から上端側に亘って円弧状に形成している。そして、取付ベース部６１は、遊技盤本体６の前面上側に取り付けられる上取付ベース部７１と、遊技盤本体６の前面下側に取り付けられる下取付ベース部７２とを含んで構成されており、上取付ベース部７１および下取付ベース部７２を発射球案内壁部６９の外側に備えている。また、上取付ベース部７１および下取付ベース部７２には、上記掛止部材３７の掛止爪が引っ掛かる掛止受部７５をそれぞれ外側端部に設けている。
【００３１】
さらに、取付ベース部６１は、上取付ベース部７１と下取付ベース部７２との間から外側へ突出する状態で延設ベース部７８を備えている（図８参照）。延設ベース部７８は、略三日月形状を有しており、図９に示すように、遊技盤本体６に取り付けた状態で該遊技盤本体６の側端よりも外側へ突出する状態で形成されている。この延設ベース部７８は、発射球案内壁部６９の一部であって外側へ膨出した膨出部８２を外側の円弧端縁に沿って起立した状態で設けている。このような構成により、発射球案内ユニット５６は、案内誘導路１２の途中であって遊技盤５の上下方向の中間に位置する部分を、遊技盤本体６の側端よりも外側に配設することができる。したがって、遊技領域１１の横幅のうち最も広い箇所、すなわち遊技領域１１の上下方向の中央部分を左右に拡張することができる。これにより、遊技盤５の設計の自由度を増加させて、遊技の興趣を高めたパチンコ遊技機を提供することができる。
【００３２】
また、この取付ベース部６１は、延設ベース部７８の裏面に遊技盤５の後方へ向かって起立（延設）した補強部材８３を設けている。補強部材８３は、図８に示すように、延設ベース部７８の縁部、すなわち発射球案内壁部６９の膨出部８２の基端周辺から遊技盤本体６の側端の直前に亘って形成されている。この補強部材８３は、具体的には、延設ベース部７８の縁部に沿って形成した縦方向の第１リブ８４と、この第１リブ８４の第１区画壁６３側の面と延設ベース部７８との間に複数設けられた横方向の第２リブ８５とから構成されている。このような補強部材８３を備えることで、延設ベース部７８上の発射球案内壁部６９やガイドレール６６が捩れたり外側へ倒れ難くして、案内誘導路１２内を飛翔する遊技球が飛びムラを生じ難くなるようにすることができる。また、補強部材８３の内側には遊技盤本体６の一側面（左側面）に当接して発射球案内部材６４の左右方向の位置決めを行うために縦方向に沿ったリブ状の位置決め突起部８６が形成されており、組立作業の効率向上を図ることができる。
【００３３】
なお、補強部材８３は、遊技盤５を遊技盤収納フレーム２７に収納した状態で上下の位置決め部材３８の間に位置するように配設されている（図２参照）。また、本実施形態の補強部材８３は、延設ベース部７８、さらには発射球案内部材６４に合成樹脂で一体成型されているが、別部材にして延設ベース部７８の裏側に取り付ける後付けタイプにしてもよい。
【００３４】
さらに、図８に示すように、上取付ベース部７１および下取付ベース部７２の裏面には、後方へ向けて隆起した円柱状の位置決めボス８７がそれぞれ設けられており、この位置決めボス８７を遊技盤本体６の対向位置に形成された位置決め孔８８内に挿入することにより、発射球案内部材６４の遊技盤本体６における位置決めが簡単に行えるように成っている。
【００３５】
そして、この発射球案内部材６４は、発射球案内壁部６９から所定間隔を空けた内側の位置に、発射球案内壁部６９と略平行な状態となる円弧状の遊技領域区画壁部６２を、発射球案内壁部６９と同様に遊技盤５の前面の下端側から上端側に亘って形成してある。これにより案内誘導路１２と遊技領域１１とを区画し、発射球案内壁部６９と遊技領域区画壁部（以下、第１遊技領域区画部材５６の遊技領域区画壁部を「第１区画壁部６３」という。）６２との間に挟まれた円弧状の空間を案内誘導路１２としている。この案内誘導路１２は、取付ベース部６１とともに合成樹脂で一体成形した底部８９を有している。したがって、案内誘導路１２と第１区画壁部６３とは、上記した底部８９と合わせて、遊技盤５の前方に向かって開口した断面コ字状を呈している。なお、この発射球案内部材６４は、第１区画壁部６３の上端部に金属製板材からなる戻り球防止部材９０を設けて、遊技領域１１へ入った遊技球が案内誘導路１２へ戻るのを防止している。
【００３６】
また、発射球案内部材６４は、発射球案内壁部６９の上端周辺にガイドレール６６の上端部を係止する上端係止受部９２を上取付ベース部７１から突設し、下端周辺にガイドレール６６の下端部を止着する下端止着受部９３を下取付ベース部７２から突設している。なお、上端係止受部９２および下端止着受部９３よりも遊技領域１１寄りの位置には、ガイドレール６６を係止するためのガイドレール係止壁９４がそれぞれ設けられている。このガイドレール係止壁９４は、ガイドレール６６の端部を差込可能な程度のスリット９５を介して発射球案内部材６４の内周面と一連になるように取付ベース部６１から前方に向かって起立している。
【００３７】
ガイドレール６６は、図７に示すように、発射球案内壁部６９と略同じ幅を有する帯状の金属板（例えば、ステンレス鋼板）により形成された部材であり、発射球案内壁部６９の内周面に、その長手方向に沿って円弧状に湾曲した状態で取り付けられている。このガイドレール６６は、上下各端を遊技領域１１の外側に向かってクランク状に屈曲し、上端部には上端係止受部９２へ係止される係止部１００を、下端部には下端止着受部９３へ止着される止着部１０１を形成している。また、ガイドレール６６の中間部後端には、該ガイドレール６６を発射球案内壁部６９の内面に沿って湾曲した状態を維持するための位置決め突起１０３が形成されており、この位置決め突起１０３を発射球案内部材６４の底部８９のガイドレール位置決め切り欠き部１０４に挿入して折り返すことにより、ガイドレール６６が発射球案内壁部６９の内面に沿って湾曲した状態を維持しうるように成っている。なお、本実施形態におけるガイドレール６６の材質は、上記したステンレス鋼に限らず、例えば、鉄に亜鉛メッキを施したものでもよい。
【００３８】
そして、発射球案内ユニット５６は、上記ガイドレール６６のうち発射装置４４から発射されてファール流下口５３を飛び越えた遊技球が衝接（衝突）し得る発射球衝接部１０６と、発射球案内壁部６９との間に、ガイドレール６６の長さ方向に所定の間隔を配した発射球衝撃吸収空間部１０７を形成している。なお、上記の発射球衝接部１０６とは、ガイドレール６６上において、ファール流下口５３を飛び越えた遊技球が衝接し得る部分であって、発射装置４４の打球発射力を弱くして遊技球がガイドレール６６にやっと届く位置から、打球発射力を最大にした際に衝接する位置までの範囲を指す（図２、図６および図７参照）。
【００３９】
また、このガイドレール６６は、基本的（例えば、遊技者が発射操作ユニット２５を握り易い位置で遊技球を打ち出す場合、あるいは発射装置４４の打球発射力が、調整可能範囲の中間である場合）には、背面に発射球衝撃吸収空間部１０７を形成した発射球衝接部１０６のほぼ中央に遊技球を衝接するようになっている。具体的に説明すると、発射球案内部材６４は、発射球案内壁部６９のうち、発射球案内部材６４に取り付けたガイドレール６６の発射球衝接部１０６と対向する部分を、案内誘導路１２とは反対側に凹ませて、発射球衝接部１０６と発射球案内壁部６９とを離間させている。そして、発射球衝接部１０６は、長手方向の両端部、すなわち上記した最小打球発射力での遊技球の衝接位置と最大打球発射力での衝接位置とを、発射球案内壁部６９の途中に形成された端部により案内誘導路１２とは反対側から所謂両端支持梁の状態で支持している。
【００４０】
このように発射球衝接部１０６の裏側（案内誘導路１２とは反対側）に発射球衝撃吸収空間部１０６を設けて、発射装置４４からの遊技球がガイドレール６６に衝接すると、このガイドレール６６は、この衝接によって発射球案内壁部６９へ凹もうとする動きを拘束されることなく、発射球衝撃吸収空間部１０７へ押されて僅かに撓むことができる。したがって、遊技球がガイドレール６６に衝接しても衝撃を吸収して弾み難くし、飛びムラを軽減させることができる。したがって、遊技者は発射装置４４を操作して意図したとおりに遊技球を遊技領域１１に送ることができ、遊技の興趣を高めることができる。
【００４１】
次に、ガイドレール６６の取付手順について説明する。
上記したようなガイドレール６６を発射球案内壁部６９に取り付けるには、ガイドレール６６を発射球案内壁部６９に沿うように予め湾曲させて上下両端のクランク部を発射球案内部材６４のスリット９５に通し、上端の係止部１００を発射球案内部材６４の上端係止受部９２に係止してガイドレール止着具６７を装着し、下端の止着部１０１を発射球案内部材６４の下端止着受部９３に係止して、ネジ等の着脱可能な止着部材１０８を用いて止着する。また、ガイドレール６６の後端の位置決め突起１０３を底部８９のガイドレール位置決め切り欠き部１０４に挿入して折り返すことにより、ガイドレール６６が発射球案内壁部６９の内面に沿って湾曲した状態を維持するようにする。このようにして取り付けたガイドレール６６の前面端は、遊技盤５からの高さが発射球案内壁部６９の起立端と揃った状態になる。また、ガイドレール６６は、起立位置や角度などの起立状態を取付ベース部６１に一体成形した発射球案内壁部６９に当接するだけで確実に決めることができるので、ガイドレール６６の取付作業を短時間で済ませることができる。したがって、遊技盤５の組立作業や遊技店における遊技盤５のメンテナンス作業の負担軽減を図ることができる。また、止着具６７や止着部材１０８を取り外し、ガイドレール位置決め切り欠き部１０４内の位置決め突起１０３を折り戻すことにより、金属製のガイドレール６６を簡単に取り外すことができるので、リサイクル時の分別作業を容易に行うことができる。
【００４２】
そして、この発射球案内ユニット５６の遊技領域区画壁部６２の下方部分には、この下方部分を覆うように後述するカバー部材（左カバー部材１４２）１４１を設けるが、このカバー部材自体の構造及びその取り付け構造については、後で詳細に説明する。
【００４３】
次に、第２遊技領域区画部材５７は、図６に示すように、遊技領域１１側の端部に円弧状の遊技領域区画壁部６２としての第２区画壁部１１０を一体成形している。この第２区画壁部１１０は、途中にゴム材１１１を取り付ける状態で遊技盤５の上部から左側中央部分に亘り遊技盤５の前方に向かって起立しており、発射球案内ユニット５６から遊技領域１１へ飛入した遊技球が遊技領域１１の外へ飛び出さないようにしている。また、この第２区画壁１１０は、一端（図６中左端）を上記発射球案内ユニット５６の発射球案内壁部６９の右端に連続するように設けられており、遊技盤５の上部から右側中央部に亘り遊技盤５の前方に向かって起立している。第２遊技領域区画部材５７は、遊技盤本体６の側部（図中右側部）に位置する部分に指先を引っ掛けられる程度の窪部を設けて、遊技盤５を遊技盤収納フレーム２７から着脱する際のハンドル部１１３を形成し、さらに、遊技盤収納フレーム２７のクランプ４０を当接する遊技盤取付部１１４を備えている。この第２遊技領域区画部材５７は、上記したように、第１遊技領域区画部材としての発射球案内ユニット５６の一端（図６中右端）に、該第２遊技領域区画部材５７の一端（図６中左端）を隣接した状態で接続して、遊技領域１１の右上側を区画している。この第２遊技領域区画部材５７の取付けベース部６１の裏面には位置決め突起部（図示せず）が設けられ、この位置決め突起部が遊技盤本体６の対向位置に形成された位置決め孔１１５に挿入されることにより、第２遊技領域区画部材５７が位置決めされるように成っている。さらに、第２遊技領域区画部材５７の上端部および右側端部には挿通孔１１７を有する止着部１１８が形成され、この挿通孔１１７に止着部材（図示せず）を挿通させて遊技盤本体６に止着するように成っている。
【００４４】
また、第３遊技領域区画部材５８は、図６および図１０に示すように、遊技領域１１側の端部に円弧状の遊技領域区画壁部６２としての第３区画壁部１２０を一体成形している。この第３区画壁部１２０は、一端（図６中上端）を第２区画壁部１１０の下端に連続するように設けられており、遊技盤５の右側中央部分から下部に亘り遊技盤５の前方に向かって起立している。また、第３遊技領域区画部材５８は、遊技盤５の表面に取り付けるための遊技盤取付部１１４を備え、また、前面の一部に認可シールや確率スペック等の表示シールを貼付して掲示する板状の掲示部１２２を着脱可能に備えている。この第３遊技領域区画部材５８は、第２遊技領域区画部材５７の他端（図６中下端）に、該第３遊技領域区画部材５８の一端（図６中上端）を隣接した状態で接続して、遊技領域１１の右下側を区画している。この第３遊技領域区画部材５８の取付けベース部６１の裏面には位置決め突起部（図示せず）が設けられ、この位置決め突起部が遊技盤本体６の対向位置に形成された位置決め孔１２４に挿入されることにより、第２遊技領域区画部材５７が位置決めされるように成っている。さらに、第３遊技領域区画部材５７の右側端部および下端部には挿通孔１２６を有する止着部１２７が形成され、この挿通孔１２６に不図示の止着部材を挿通させて遊技盤本体６に止着するように成っている。そして、上記発射球案内ユニット５６と同様に、この第３遊技領域区画部材５８の第３区画壁部１２０の下方部分には  この下方部分を覆うように後述するカバー部材（右カバー部材１４３）１４１を設けるが、このカバー部材自体の構造及びその取り付け構造については、後で詳細に説明する。
【００４５】
さらに、第４遊技領域区画部材５９は、図６に示すように、上記第３遊技領域区画部材５８および上記発射球案内ユニット５６との間に位置しており、アウト口１０を開口した取付けベース部と、第３遊技領域区画部材５８の他端（図６中左端）と、発射球案内ユニット５６の他端（図６中下部右端）と、に隣り合う状態で前方に張り出したアウト口張出し部１３１を接続する。そして、このアウト口張出し部１３１の後端から上方へ起立してアウト口１０を区画するアウト口周縁部１３３を遊技盤本体６の下側に形成された切欠部１３４の前方に位置させることで、遊技盤５上にアウト口１０を構成している。このアウト口周縁部１３３の裏面には、アウト口１０の両側に位置するように位置決め突起部（図示せず）が設けられ、この位置決め突起部が遊技盤本体６の切欠部１３４の両側に形成された位置決め孔１３６に挿入されることにより、第４遊技領域区画部材５９のアウト口１０が位置決めされるように成っている。さらに、アウト口周縁部１３３の両側には挿通孔１３７が形成され、この挿通孔１３７に止着部材（図示せず）を挿通させて遊技盤本体６に止着するように成っている。
【００４６】
次に、第１遊技領域区画部材（発射球案内ユニット）５６の第１区画壁部６３の下方部分（アウト口寄りの部分）、および第３遊技領域区画部材５８の第３区画壁部１２０の下方部分（アウト口寄りの部分）をそれぞれ覆うように設けられる合成樹脂製のカバー部材１４１について説明する。
【００４７】
図１１はカバー部材１４１を裏面側から見た斜視図、図１２はカバー部材１４１の止着構造を説明する模式断面図、図１３はカバー部材１４１の係合構造を説明する模式断面図である。これらの図面および図６に示すように、カバー部材１４１は、発射球案内ユニット５６の第１区画壁部６３の遊技領域下部に臨む面を上方から覆う左カバー部材１４２と、第３遊技領域区画部材５８の第３区画壁部１２０の遊技領域下部に臨む面を上方から覆う右カバー部材１４３と、の一対の部材であり、上記第４遊技領域区画部材５９を挟んで両側に設けられるが、本実施形態では、これらのカバー部材１４２、１４３は左右とも共通の構造（形状）を有している。
【００４８】
具体的には、このカバー部材１４１は、発射球案内ユニット５６の第１区画壁部６３の遊技領域下部に臨む面、または第３遊技領域区画部材５８の第３区画壁部１２０の遊技領域下部に臨む面の湾曲形状に沿うように、遊技領域下部に臨んで円弧状に湾曲すると共に下面に前方から後方（遊技盤側）に向けて上り傾斜したテーパＴ1を形成（即ち、後方に向けて次第に板厚を薄く）した帯板状の部材であり、発射球案内ユニット５６の第１区画壁部６３の遊技領域下部に臨む面、または第３遊技領域区画部材５８の第３区画壁部１２０の遊技領域下部に臨む面を覆う帯状面は遊技領域１１を流下する遊技球を受ける流下球受部１４６として機能する。
【００４９】
この流下球受部１４６の前方部（図１１中左辺部分）には、図１１および図１２に示すように、該流下球受部１４６の前方部から遊技領域１１とは反対方向にＬ字状に屈曲した複数（本実施形態では２箇所）の舌片状止着部１４７が突設され、この止着部１４７にはネジ等の止着部材１４８を挿通する挿通孔１４９が形成されている。
一方、発射球案内ユニット５６の第１区画壁部６３の下方部分における前端部近傍には、図７に示すように、複数（本実施形態では２箇所）のボス部１５３が形成されており、このボス部１５３には、左カバー部材１４２の上記挿通孔１４９を前方から後方へと挿通させた止着部材１４８を止着するための止着孔１５５が形成されている。同様に、第３遊技領域区画部材５８の第３区画壁部１２０の下方部分における前端部近傍には、図１０に示すように、複数（本実施形態では２箇所）のボス部１５３が形成されており、このボス部１５３には、右カバー部材１４３の上記挿通孔１４９を前方から後方へと挿通させた止着部材１４８を止着するための止着孔１５５が形成されている。
【００５０】
また、図１１および図１３に示すように、この流下球受部１４６の前端部において、各止着部１４７の円弧に沿った方向の両側には、複数（本実施形態では３箇所）の係合部１５８が形成されている。そして、各係合部１５８は前端部から裏面後方へＵターンするように折り返した形状を呈し、その後方へ向いた先端部は順次薄肉となるようにテーパを付けて形成され、発射球案内ユニット５６の第１区画壁部６３の下方縁部、または第３遊技領域区画部材５８の第３区画壁部１２０の下方縁部を挟持する状態で係合するように成っている。この係合部１５８の折り返し先端部は、取付けベース部６１の前面から遊技領域区画壁部５５が前方へ突き出した高さよりも長く形成されているので、遊技領域区画壁部５５に沿った取付けベース部６１の縁部分には、該係合部１５８の折り返し先端部を収容するための複数（本実施形態では３箇所）の係合溝部１５９が形成されおり（図１０参照）、本実施形態では、そのうち下方２箇所の係合溝部１５９が上記係合部１５８の位置決め溝部として機能している。図７においては、図示の都合上明確に現れていないが、発射球案内ユニット５６の第１区画壁部６３の下方部分においても、同様の構成で係合溝部１５９が形成されている。
【００５１】
このように発射球案内ユニット５６の第１区画壁部６３の下方部分には左カバー部材１４２が設けられるので、該第１区画壁部６３の上方部分の内面は下方部分の内面よりも上記流下球受部１４６の厚みだけ遊技領域側へ突出しており、その境界部には段部１６１が形成され、この段部１６１が左カバー部材１４２の上端位置を規制している（図７および図８参照）。同様に、第３遊技領域区画部材５８の第３区画壁部１２０の下方部分には右カバー部材１４３が設けられるので、該第３区画壁部１２０の上方部分の内面は下方部分の内面よりも上記流下球受部１４６の厚みだけ遊技領域側へ突出しており、その境界部には段部１６２が形成され、この段部１６２が右カバー部材１４３の上端位置を規制している。また、左カバー部材１４２の下端と右カバー部材１４３の下端とは、第４遊技領域区画部材５９を挟持するように配置される。
【００５２】
図１４に示すように、カバー部材１４１は、発射球案内ユニット５６および第３遊技領域区画部材５８において、遊技領域区画部材５５の下方部分における遊技領域下部に臨む面を覆うように設けられるが、図１５に示すように、この遊技領域区画部材５５の前方部においてネジ等の止着部材１４８によって締め付けると、流下球受部１４６の後方部が浮上してフローティング状態となり、該遊技領域区画部材５５の遊技領域側の面とカバー部材１４１の遊技領域区画部材側の面との間に衝撃吸収空間部１６６が形成されることになる。したがって、遊技領域１１を流下した遊技球がカバー部材１４１に衝突した場合に、上記衝撃吸収空間部１６６へ向けてカバー部材１４１の流下球受部１４６が僅かに撓むことにより遊技球の衝撃を吸収することができる。
【００５３】
また、止着部材１４８を締め付けると止着部１４７が極く僅かだが変形してカバー部材１４１の流下球受部１４６が浮上して、遊技領域区画部材５５とカバー部材１４１との間に衝撃吸収空間部１６６が形成されるので、止着部材１４８の締め付け度合いを調整することにより衝撃吸収空間部１６６の空間幅を調整することができる。このようにカバー部材１４１は止着部材１４８により取り付けられるので、組み立て作業が容易である。
【００５４】
さらに、図１６に示すように、止着部材１４８の押圧部（頭部）とカバー部材１４１の舌片状止着部１４７との間に、例えば、ゴムや合成樹脂等からなるリング状の弾性部材１６７を介在させて止着部材１４８が止着すると、カバー部材１４１の舌片状止着部１４７への負荷を軽減することができ、また、弾性部材１６７の弾性により遊技球の衝撃を効果的に吸収することができる。
なお、弾性部材１６７はカバー部材の止着部の両側でもよいが、少なくとも一方に介在させればよい。
【００５５】
また、カバー部材１４１を取り付ける際に止着部材１４８を締め付けるとカバー部材１４１の後方部が浮上するための浮上手段は、前記実施形態では流下球受部１４６の下面に前方から後方（遊技盤側）に向かって上り傾斜するテーパＴ1を形成すると共に止着部１４７を垂直に設けて構成し、カバー部材を取り付けた際に、流下球受部１４６の上面が略水平であっても下面のテーパ分だけ遊技領域区画部材の上面との間に隙間が生じるように構成したが、これに限定されるものではない。例えば、図１７に示すように、遊技領域区画壁部６２の上面に、遊技盤に向かって下り傾斜するテーパＴ2を形成し、カバー部材の流下球受部１４６を同じ板厚とし、この前端部に垂直に設けられた止着部１４７を止着部材１４８により締め付けると、図１７（ｂ）に示すように、遊技領域区画壁部６２の上面に形成したテーパ分だけ隙間が生じるように構成しても良い。また、図１８に示すように、カバー部材１４１の止着部１４７の少なくとも前後面のいずれか一方にテーパＴ3を形成し、図１８（ｂ）に示すように、止着部１４７を止着部材１４８により遊技領域区画壁部６２の前端に止着すると流下球受部１４６の後部が浮上して遊技領域区画壁部６２の上面との間に隙間が生じるように構成しても良い。さらに、図１９に示すように、カバー部材１４１の止着部１４７を止着する相手側、すなわち遊技領域区画部材５５の前端面（止着孔１５５の周囲）に、上端側が手前に位置して下端側が後方の遊技盤側に位置するテーパ（傾斜面）Ｔ4を形成し、図１９（ｂ）に示すように、止着部１４７を止着部材１４８により遊技領域区画壁部６２の前端に止着すると流下球受部１４６の後部が浮上して遊技領域区画壁部６２の上面との間に隙間が生じるように構成しても良い。さらにまた、図１６で示した弾性部材１６７の前後面のすくなくとも一方にテーパを形成し、あるいは弾性部材１６７に代えて同様のテーパを形成したスペーサ（図示せず）を介在させ、止着部１４７を止着部材１４８により遊技領域区画壁部６２の前端に止着すると、弾性部材１６７あるいはスペーサのテーパにより流下球受部１４６が浮上して遊技領域区画壁部６２の上面との間に隙間が生じるように構成しても良い。また、前記した浮上手段の例を適宜組み合わせて構成しても良い。例えば、流下球受部１４６の下面に前方から後方（遊技盤側）に向かって上り傾斜するテーパＴ1を形成すると共に、遊技領域区画壁部６２の上面に遊技盤に向かって下り傾斜するテーパＴ2を形成してもよい。図１８及び図１９の例においては、流下球受部１４６の上面に前方から後方（遊技盤側）に向かって下り傾斜するテーパ（図示せず）を形成してもよい。
なお、いずれにおいても、カバー部材１４１を取り付けた状態で流下球受部１４６の上面が略水平、あるいは遊技盤側に僅かに下り傾斜するように各部を構成することが望ましい。
【００５６】
本実施形態では、発射球案内ユニット５６および第３遊技領域区画部材５８において、カバー部材１４１で覆う部分にも遊技領域区画壁部６２（６３、１２０）を形成しているが、本発明はこれに限るものではなく、カバー部材１４１の下方に衝撃吸収空間部１６６が形成されていれば流下球受部１４６が僅かに撓む効果を奏するので、該カバー部材１４１で覆う部分の遊技領域区画壁部６２を廃止して、その部分を切り欠いたような形状としてもよい。
すなわち、遊技領域の下部を合成樹脂製帯板状のカバー部材により区画し、該カバー部材は、その前方部を遊技領域区画部材の突出した部分の前方部に止着して後方部をフローティング状態とし、該カバー部材の下方に衝撃吸収空間部を形成し、遊技領域を流下した遊技球の衝突時の衝撃を吸収するように構成してもよい。したがって、この場合のカバー部材は、それ自体が遊技領域区画壁部としても機能するものであり、前端を固定して支持され流下球受部をフローティング状態とした浮上区画壁部材とも換言することができる。
【００５７】
また、カバー部材１４１は、遊技領域区画部材５５よりも柔軟性を有する合成樹脂で形成することが好ましい。遊技領域区画部材５５を構成する合成樹脂としては、例えばＡＢＳ樹脂を用いているが、このカバー部材１４１を構成する合成樹脂としては、通常のＡＢＳ樹脂よりもブタジエンの含有量の多く、通常のＡＢＳ樹脂よりも柔軟性を有する軟質ＡＢＳ樹脂（テクノポリマー株式会社製：軟質ＡＢＳ（αＢＳ−α、β、γ））を用いることが考えられる。このようにカバー部材１４１を遊技領域区画部材５５よりも柔軟性を有する合成樹脂で形成することにより、上記衝撃吸収空間部１４３へと容易に撓ませることができる。
【００５８】
本実施形態では、上記遊技領域区画部材５５は、第１遊技領域区画部材（発射球案内ユニットの発射球案内部材６４）５６、第２遊技領域区画部材５７、第３遊技領域区画部材５８および第４遊技領域区画部材５９として構成されるが、上記カバー部材１４１のみならず上記第４遊技領域区画部材５９をも、他の遊技領域区画部材５５（第１遊技領域区画部材５６、第２遊技領域区画部材５７および第３遊技領域区画部材５８）よりも柔軟性を有する合成樹脂、例えば上記軟質ＡＢＳ樹脂で形成してもよく、このように構成すれば、遊技領域１１を流下する遊技球を柔軟性を有する合成樹脂で受けることができ、遊技球の過剰な反撥を防止することができる。
【００５９】
また、遊技領域区画部材５５と、その遊技領域区画壁部６２（６３、１２０）を覆うカバー部材１４１とがともに合成樹脂により形成されており、上記ガイドレール６６のみが金属であるので、装飾性に優れ、リサイクルの分別作業も容易で安価な遊技機を提供することができる。
【００６０】
なお、前記した実施の形態は全ての点で例示であって制限的なものではないと考えられるべきである。本発明は、上記した説明に限らず特許請求の範囲によって示され、特許請求の範囲と均等の意味および範囲内での全ての変更が含まれるものである。
【００６１】
また、本発明は、代表的な遊技機であるパチンコ遊技機を例にして説明したが、これに限らず、遊技球を発射装置から案内誘導路を通して遊技領域に打込んで遊技を行う遊技機であればどのような遊技機でもよい。例えば、内部に封入した遊技球を循環させる封入球式パチンコ機、アレンジボール式遊技機、雀球式遊技機等の遊技機などにも適用可能である。
【図面の簡単な説明】
【００６２】
【図１】パチンコ遊技機の正面図である。
【図２】パチンコ遊技機の内部を示す正面図である。
【図３】ガラス枠を開いた状態のパチンコ遊技機の斜視図である。
【図４】遊技盤の正面図である。
【図５】遊技盤の斜視図である。
【図６】遊技盤の分解斜視図である。
【図７】発射球案内ユニットの表面の分解斜視図である。
【図８】発射球案内ユニットの裏面の斜視図である。
【図９】遊技盤の裏面状況の斜視図である。
【図１０】第３遊技領域区画部材の斜視図である。
【図１１】カバー部材を裏面側から見た斜視図である。
【図１２】カバー部材の止着構造を説明する模式図である。
【図１３】カバー部材の係合構造を説明する模式図である。
【図１４】カバー部材の止着前の状態の模式図である。
【図１５】カバー部材の止着後の状態の模式図である。
【図１６】弾性部材を介在させて止着部材を締め付けた状態の模式図である。
【図１７】遊技領域区画壁部のテーパを形成した浮上手段の要部を示す断面図である。
【図１８】カバー部材の止着部にテーパを形成した浮上手段の要部を示す断面図である。
【図１９】遊技領域区画壁部の止着部の前面にテーパを形成した浮上手段の要部を示す断面図である。
【符号の説明】
【００６３】
１  パチンコ遊技機
５  遊技盤
１０  アウト口
１１  遊技領域
１２  案内誘導路
５５  遊技領域区画部材
５６  第１遊技領域区画部材（発射球案内ユニット）
５７  第２遊技領域区画部材
５８  第３遊技領域区画部材
５９  第４遊技領域区画部材
６１  取付けベース部
６２  遊技領域区画壁部
６３  第１区画壁部
６４  発射球案内部材
６６  ガイドレール
６７  ガイドレール止着具
６９  発射球案内壁部
７１  上取付ベース部
７２  下取付ベース部
７８  延設ベース部
８２  膨出部
８３  補強部材
８４  第１リブ
８５  第２リブ
８６  位置決め突起部
８７  位置決めボス
８８  位置決め孔
８９  底部
９０  戻り球防止部材
９２  上端係止受部
９３  下端係止受部
９４  ガイドレール係止壁
９５  スリット
１００  係止部
１０１  止着部
１０３  位置決め突起
１０４  ガイドレール位置決め切り欠き部
１０６  発射球衝接部
１０７  発射球衝撃吸収空間部
１１０  第２区画壁部
１１４  遊技盤取付部
１１８  止着部
１２０  第３区画壁部
１３１  アウト口張出し部
１３３  アウト口周縁部
１３４  切欠部
１３６  位置決め孔
１４１  カバー部材
１４２  左カバー部材
１４３  右カバー部材
１４６  流下球受部
１４７  止着部
１４８  止着部材
１５５  止着孔
１５８  係合部
１５９  係合溝部
１６６  衝撃吸収空間部
１６７  弾性部材
【図１】
2005237696.tif 000003
【図２】
2005237696.tif 000004
【図３】
2005237696.tif 000005
【図４】
2005237696.tif 000006
【図５】
2005237696.tif 000007
【図６】
2005237696.tif 000008
【図７】
2005237696.tif 000009
【図８】
2005237696.tif 000010
【図９】
2005237696.tif 000011
【図１０】
2005237696.tif 000012
【図１１】
2005237696.tif 000013
【図１２】
2005237696.tif 000014
【図１３】
2005237696.tif 000015
【図１４】
2005237696.tif 000016
【図１５】
2005237696.tif 000017
【図１６】
2005237696.tif 000018
【図１７】
2005237696.tif 000019
【図１８】
2005237696.tif 000020
【図１９】
2005237696.tif 000021